(57)【要約】【目的】金融機関等で通帳等の規格化された媒体に印刷するプリンタにおいては、入力完了のキーの押下後に媒体を引き込んで幅方向の位置を特定するため、その後に印字ヘッドを移動させなければならず、入力完了のキーの押下後の印字までの時間がかかるという問題がある。【構成】印字すべき媒体を搬送する搬送手段と、この媒体に印字を行う印字ヘッドおよび搬送路中の媒体の有無を検知するセンサとを搭載し、媒体搬送方向と直交する方向に走行するキャリッジとを有するプリンタにおいて、上位制御部の情報の有無にかかわらず、挿入口にセットされた媒体を引き込み、キャリッジを走行させて前記センサにより媒体の一側端を検出してその媒体端位置を算出し、これによって吸入済情報を保持すると共に上位制御部よりの情報を受信した時点で、前記吸入済情報が有りの場合は、前記情報の指定する媒体に対する印字位置より印字すべき位置までのキャリッジの移動距離を計算して即時に印字処理を開始し、吸入済情報が無しの場合は、媒体挿入待ち状態とすることを特徴とする。【選択図】　　　　図１
2004017584.tif 000002
【特許請求の範囲】
【請求項１】
印字すべき媒体を搬送する搬送手段と、この媒体に印字を行う印字ヘッドおよび搬送路中の媒体の有無を検知するセンサとを搭載し、媒体搬送方向と直交する方向に走行するキャリッジとを有するプリンタにおいて、上位制御部の情報の有無にかかわらず、挿入口にセットされた媒体を引き込み、キャリッジを走行させて前記センサにより媒体の一側端を検出してその媒体端位置を算出し、これによって吸入済情報を保持すると共に上位制御部よりの情報を受信した時点で、前記吸入済情報が有りの場合は、前記情報の指定する媒体に対する印字位置より印字すべき位置までのキャリッジの移動距離を計算して即時に印字処理を開始し、吸入済情報が無しの場合は、媒体挿入待ち状態とすることを特徴とするプリンタの媒体処理方法。
【請求項２】
印字すべき媒体を搬送する搬送手段と、この媒体に印字を行う印字ヘッドおよび搬送路中の媒体の有無を検知するセンサとを搭載し、媒体搬送方向と直交する方向に走行するキャリッジとを有するプリンタにおいて、上位制御部の情報の有無にかかわらず、挿入口にセットされた媒体を引き込み、キャリッジを走行させてセンサにより媒体の両端を検出して媒体幅を算出し、上位制御部に入力された情報に対して印字幅が不適切な媒体であると判断した場合、その媒体を排出することを特徴とするプリンタの媒体処理方法。
【請求項３】
請求項２において、上位制御部に入力された情報に対して印字幅が不適切な媒体であると判断した場合、その旨を報知することを特徴とするプリンタの媒体処理方法。
【請求項４】
請求項２において、上位制御部に入力された情報に対して印字幅が不適切な媒体であると判断した場合、その媒体を排出するかその旨を報知するかを選択可能にしたことを特徴とするプリンタの媒体処理方法。
【請求項５】
請求項２において、上位制御部に入力された情報に対して印字幅が不適切な媒体であると判断した場合、媒体の幅より超えた分は印字しないことを特徴とするプリンタの媒体処理方法。
【請求項６】
請求項２において、上位制御部に入力された情報に対して印字幅が不適切な媒体であると判断した場合、媒体の幅より超えた分を次の行に印字することを特徴とするプリンタの媒体処理方法。
【請求項７】
請求項２において、上位制御部に入力された情報に対して印字幅が不適切な媒体であると判断した場合、幅方向に圧縮して印字することを特徴とするプリンタの媒体処理方法。
【請求項８】
印字すべき媒体を搬送する搬送手段と、この媒体に印字を行う印字ヘッドおよび搬送路中の媒体の有無を検知するセンサとを搭載し、媒体搬送方向と直交する方向に走行するキャリッジとを有するプリンタにおいて、上位制御部の情報の有無にかかわらず、挿入口にセットされた媒体を引き込み、、キャリッジを走行させてセンサにより媒体の少なくとも一側端を検出して搬送路に対する媒体の位置を算出し、プリンタのもっている情報および／もしくは上位制御部の情報より不適切な位置と判断した場合、媒体に印字することなく排出することを特徴とするプリンタの媒体処理方法。
【発明の詳細な説明】
【０００１】
【発明の属する技術分野】
本発明は、プリンタにおける印字媒体の吸入処理方法に関するもので、特に、金融機関等で使用される通帳伝票プリンタに適する媒体の吸入処理方法である。
【０００２】
【従来の技術】
金融機関においては、通帳や伝票等の媒体に印字する場合、プリンタに接続された上位の制御部に所定の取引内容をキーボード等から入力し、操作完了キーの押下により、その入力された取引内容が制御部からプリンタに印字情報として送出される。
【０００３】
その後、プリンタに媒体をセットすることにより、自動的に吸入して所定の印字を行う。もしくは、予め媒体をセットして少しだけ媒体を吸入させてから取引内容を入力する場合がある。
このようなプリンタで、媒体を搬送路幅内の横方向に対して自由にセット可能で、情報を受け取ると媒体を引き込み、印字ヘッド等のキャリッジに実装されたセンサーを媒体の横方向に移動して媒体端を検知し、装置に対する媒体の位置特定をするという構造のものがあり、判定された媒体の位置を基準にして与えられた所定の位置へ所定の印字を行うことになる。
【０００４】
【発明が解決しようとする課題】
このようなプリンタにおいては、入力完了のキーの押下後に媒体を引き込んで幅方向の位置を特定するため、その後に印字ヘッドを移動させなければならず、入力完了のキーの押下後の印字までの時間がかかるという問題がある。
【０００５】
【課題を解決するための手段】
そこで本発明は、印字すべき媒体を搬送する搬送手段と、この媒体に印字を行う印字ヘッドおよび搬送路中の媒体の有無を検知するセンサとを搭載し、媒体搬送方向と直交する方向に走行するキャリッジとを有するプリンタにおいて、上位制御部の情報の有無にかかわらず、挿入口にセットされた媒体を引き込み、キャリッジを走行させて前記センサにより媒体の一側端を検出してその媒体端位置を算出し、これによって吸入済情報を保持すると共に上位制御部よりの情報を受信した時点で、前記吸入済情報が有りの場合は、前記情報の指定する媒体に対する印字位置より印字すべき位置までのキャリッジの移動距離を計算して即時に印字処理を開始し、吸入済情報が無しの場合は、媒体挿入待ち状態とすることを特徴とする。
【０００６】
また、上記プリンタにおいて、上位制御部の情報の有無にかかわらず、挿入口にセットされた媒体を引き込み、キャリッジを走行させてセンサにより媒体の両端を検出して媒体幅を算出し、上位制御部に入力された情報に対して印字幅が不適切な媒体であると判断した場合、その媒体を排出することを特徴とする。
さらに、上記プリンタにおいて、上位制御部の情報の有無にかかわらず、挿入口にセットされた媒体を引き込み、、キャリッジを走行させてセンサにより媒体の少なくとも一側端を検出して搬送路に対する媒体の位置を算出し、プリンタのもっている情報および／もしくは上位制御部の情報より不適切な位置と判断した場合、媒体に印字することなく排出することを特徴とする。
【０００７】
【発明の実施の形態】
以下に本発明の実施の形態例を図面を用いて説明する。
第１実施の形態例
図１はプリンタの側面説明図、図２は平面説明図である。
１は媒体の挿入口、２は搬送路であり、これらは取り扱う媒体３の最大幅よりわずかに大きく設定されている。この挿入口１の直後には、媒体を装置に対して正しく位置させる整列機構４が設けてあり、搬送路２には複数の搬送ローラ５が設置され、フィードモータ６の駆動によって図示しないギヤ等の伝達機構を介して回転し、媒体の搬送を行う。
【０００８】
７は印字ヘッドであり、キャリッジ８に搭載され、パルスモータ９の駆動によりプーリ１０とベルト１１を介して媒体搬送方向と直交する方向すなわち媒体の幅方向に移動可能としてある。キャリッジ８には、反射センサ１２が搭載されており、搬送路２上の媒体を検知する。
つぎに、図３のフローチャートを用いて動作を説明する。
【０００９】
オペレータの処理は、媒体のセットであるオペレーションＡと、情報の入力であるオペレーションＢとの２種類がある。
まず、第１の操作手順は、オペレーションＡを先に行った場合である。
Ｓａ１．媒体３をプリンタの挿入口１にセットする。
Ｓａ２．プリンタは整列機構４によって媒体３を搬送路２に対して整列させる。
【００１０】
Ｓａ３．搬送ローラ５により媒体３を所定位置まで引き込む。
Ｓａ４．このとき、キャリッジ８は搬送路２の外側のホーム位置１３に待機した位置にあり、媒体３のセットにより、パルスモータ９の駆動によってキャリッジ８を搬送路２幅いっぱいに所定量移動させ、それによって搭載している反射センサ１２によって媒体３の端部３１を検知する。このときの、出力波形を図４に示す。
【００１１】
Ｓａ５．プリンタはホーム位置１３から媒体３の端部３１を検知した位置までのパルスモータ９の駆動パルス数をカウントしておき、定められた１パルスあたりのキャリッジ８の移動量より、キャリッジ８のホーム位置１３から端部３１までの距離および移動後の現在位置１４から端部３１での位置を算出する。
Ｓａ６．プリンタはこれにより媒体吸入済情報をセットする。
【００１２】
Ｓａ７．オペレーションＡの後、装置は上記の動作を行っているため、その間にオペレータはオペレーションＢの取引情報の入力をキーボードによって入力することができる。
Ｓａ８．入力完了キーの押下でプリンタの上位制御部より所定の印字情報が送出される。
【００１３】
Ｓａ９．プリンタが受信してＳａ３が済んでいるか否かを判断し、済んでいない場合にはオペレーションＡの作業がなされていないと判断してオペレーションＡの作業を待つ。済んでいる場合には次のステップに進む。
Ｓａ１０．情報には媒体３に対する印字開始位置がＳａ６によって含まれており、プリンタはこれを受信すると、吸入済情報がセットされているため印字処理を開始する。
【００１４】
Ｓａ１１．この印字処理とは、まず、所定の印字すべき行まで印字ヘッド７を移動し、つぎに、オペレーションＡ後の動作で得られているキャリッジ８の現在位置１４からの媒体３の端部３１までの位置と、情報から得られた端部３１から印字すべき位置により、印字を開始すべき位置までのキャリッジ８の移動量を計算し、キャリッジ８を移動させて印字を行う。
【００１５】
Ｓａ１２．印字終了をもって媒体を排出する。
つぎに、第２の操作手順はオペレーションＢを先に行った場合である。
情報入力、情報送出後、プリンタは吸入済情報がセットしていないためにオペレーションＡ以降の処理を待つ。
プリンタが媒体を吸入した後、上記操作手順と同様の動作を行う。
【００１６】
以上の形態例によると、情報受信前に媒体の吸入を許可し、オペレーションＡの媒体のセットの後の、媒体吸入から媒体端を検知するという装置の自動動作と、オペレーションＢの情報入力作業とを並行して行うことが可能であり、入力完了と同時に印字処理を開始できることになる。
また、プリンタで吸入情報を保持することにより、オペレーションＡとオペレーションＢの順番にかかわらず動作が可能であり、オペレーションの融通性がある。
【００１７】
第２実施の形態例
プリンタの構造は上記第１実施の形態例と同様であるために説明は省略する。
図５のフローチャートを用いて動作を説明する。
Ｓｂ１．オペレーションＡおよびオペレーションＢの先行操作手順にかかわらず、媒体３を挿入口１にセットする。
【００１８】
Ｓｂ２．プリンタは整列機構４によって媒体３を搬送路２に対して整列させる。
Ｓｂ３．搬送ローラ５により媒体３を所定位置まで引き込む。
Ｓｂ４．このとき、キャリッジ８は搬送路２の外側のホーム位置１３に待機した位置にあり、媒体３のセットにより、パルスモータ９の駆動によってキャリッジ８を搬送路２幅いっぱいに所定量移動させ、それによって搭載している反射センサ１２によって媒体３の両端部３１、３２を検知する。このときの、出力波形を図６に示す。
【００１９】
Ｓｂ５．プリンタは媒体３の端部３１から端部３２を検知した位置までのパルスモータ９の駆動パルス数をカウントしておき、定められた１パルスあたりのキャリッジ８の移動量より媒体幅を算出する。なお、都合により、一側端を検知するセンサと他側端を検知するセンサが別であっても両センサ間距離がわかっていれば計算により幅の算出は可能である。
【００２０】
Ｓｂ６．プリンタはこれにより媒体吸入済情報をセットする。
これにより、ここで求めた幅の使用例を述べる。
（応用例１）
Ｓｂ７．プリンタには予め媒体情報がセットしてあり、例えば「通帳」は１４０ｍｍ±５ｍｍと規定している。これに対し、出力された情報より、取り扱う媒体が「通帳」であるにもかかわらず、測定された媒体幅がこの範囲より外れていた場合に印字をしないで媒体を排出するか音や光等により報知する。
【００２１】
（応用例２）
Ｓｂ８．算出された媒体幅に対し、情報にて指示された１行あたりの文字数が多い場合に所定の処理を行う。例えば、印字しないで媒体を排出する。音や光等により報知する。もしくは印字できるだけ印字して残りのデータは受け捨てる。あるいは自動改行して残りを印字する。あるいは圧縮印字をする。等でありユ−ザの意向によって可変できるようにつくられている。
【００２２】
これら応用例１および応用例２の上記以降の動作は、上記第１実施の形態例の印字処理の動作と同様である。つまり、
Ｓｂ９．情報には媒体３に対する印字開始位置がＳｂ６によって含まれており、プリンタはこれを受信すると、吸入済情報がセットされているため印字処理を開始する。
【００２３】
Ｓｂ１０．この印字処理とは、まず、所定の印字すべき行まで印字ヘッド７を移動し、つぎに、オペレーションＡ後の動作で得られているキャリッジ８の現在位置１４からの媒体３の側端部３１までの位置と、情報から得られた側端部３１から印字すべき位置により、印字を開始すべき位置までのキャリッジ８の移動量を計算し、キャリッジ８を移動させて印字を行う。
【００２４】
Ｓｂ１１．印字終了をもって媒体を排出する。
なお、上記の説明では、オペレーションＡおよびオペレーションＢの先行操作手順にかかわらず説明を行ったため、上記第１実施の形態例で説明したオペレーションＡの後、装置は上記の動作を行っているため、その間にオペレータはオペレーションＢの取引情報の入力する操作が行えることになるが、フローチャートには示すが説明は省略する。つまり、上記Ｓａ７〜Ｓａ９の説明は省略した。
【００２５】
以上の実施の形態例によると、媒体の幅を検知して、情報との比較を行い、適切でない場合に所定の処理を行うことにより、応用例１では、従来は無条件に印字して間違った媒体に印字するようなことを防ぐことができる。また、応用例２ではプラテンに空打ちするようなことがなくなり、確実に印字を行うことができることになる。
【００２６】
第３実施の形態例
プリンタの構造は上記第１実施の形態例と同様であるために説明は省略する。上記第２実施の形態例と同様に、吸入された媒体は媒体幅を検知すると共に第１実施の形態例で述べた如く、キャリッジ８のホーム位置１３から媒体端までの距離および現在位置から媒体端までの距離を算出する。
【００２７】
これにより、搬送路２は構造上キャリッジ８のホーム位置と一定の関係があるから、搬送路２に対する媒体の位置が決定される。
図７は、極端に幅が狭い媒体が搬送路２の片側に偏って入れられた場合である。
このままで搬送印字を行うことが可能であるが、搬送路２のローラのテンションがアンバランスであり、搬送において斜めになったり印字が斜めになったりする可能性がある。
【００２８】
そこで、これを防ぐため、プリンタ１は前記の位置を検出し、一定の法則に従って媒体を排出する手段をとる。ここで、一定の法則とは、例えば、図７に示す如く、幅が一定以下の場合、搬送路２の中央付近Ｓの範囲に少なくとも媒体の一部がなければならない。とか、右端や左端があるべき範囲を制限する等である。また、図８に示す如く、媒体搬送方向に磁気ストライプのある通帳のような場合、これをリードライトするためプリンタの搬送路２の右端に通帳を突き当てて入れたとき磁気ストライプのリードライトが可能な位置にリードライトヘッド１５が取り付けられる。したがって、通帳に限っては挿入位置が限定される。この場合においても、もし、通帳が突き当てずに挿入されたとしても、前記手段により排出は可能である。
【００２９】
なお、通帳を排出する場合には、オペレータの画面にその旨を表示して中央に再セットすることを促したり、音や光によって再セットすることを促すようにしておくとよい。
以上の実施の形態例によると、装置にとって媒体が不適切な場合には排出することにより事後の不都合を未然に防ぐことができる。また、磁気ストライプのある通帳の場合、特別な検知手段を設けることなく、媒体が正しい位置にセットされたことを判定することができる。
【００３０】
なお、上記の実施の形態例は、検出位置が限定されたマーク検知センサやＯＣＲ付プリンタや幅方向の位置を限定した自動改頁付プリンタにも応用することができるものである。
【００３１】
【発明の効果】
以上詳細に説明した本発明によると、情報受信前に媒体の吸入を許可し、媒体のセットの後の、媒体吸入から媒体端を検知するという装置の自動動作と、情報入力作業とを並行して行うことを可能としたことにより、入力完了と同時に印字処理を開始でき、処理時間を大幅に短縮することができることになる。
【図面の簡単な説明】
【図１】プリンタの側面説明図
【図２】平面説明図
【図３】第１実施の形態例の動作のフローチャート
【図４】第１実施の形態例のセンサ出力の説明図
【図５】第２実施の形態例の動作のフローチャート
【図６】第２実施の形態例のセンサ出力の説明図
【図７】第３実施の形態例の媒体挿入範囲を規定する説明図
【図８】第３実施の形態例の磁気ストライプ付通帳の使用例の説明図
【符号の説明】
１　挿入口
２　搬送路
３　媒体
４　整列機構
５　搬送ローラ
６　フィードモータ
７　印字ヘッド
８　キャリッジ
９　パルスモータ
１０　プーリ
１１　ベルト
１２　反射センサ
１３　ホーム位置
１４　現在位置
３１、３２　媒体の端部
【図１】
2004017584.tif 000003
【図２】
2004017584.tif 000004
【図３】
2004017584.tif 000005
【図４】
2004017584.tif 000006
【図５】
2004017584.tif 000007
【図６】
2004017584.tif 000008
【図７】
2004017584.tif 000009
【図８】
2004017584.tif 000010